(57)【要約】【課題】使用する環境を考慮すること無線ＬＡＮの構築に用いることができる基地局装置や無線ＬＡＮカードを実現することが可能となる。【解決手段】この基地局装置３１の送信部３６は、モデム３５から入力されるベースバンド信号Ｉｔ，Ｑｔにより２．４ＧＨｚ帯の搬送波を変調して変調信号を生成し、増幅部３７およびミキサ４１に出力される。２．４ＧＨｚ帯の搬送波は、増幅部３７により増幅されて送信される。また、２．４ＧＨｚ帯の搬送波は、ミキサ４１により５ＧＨｚ帯にアップコンバートされた後、増幅部４２により増幅されて送信される。第１受信部４５は、２．４ＧＨｚ帯の変調信号を受信する。第２受信部４６は、５ＧＨｚ帯の変調信号を受信する。本発明は、無線ＬＡＮを構築する基地局装置および無線ＬＡＮカードに適用することができる。【選択図】      図３
2004221812.tif 000002
【特許請求の範囲】
【請求項１】
周波数帯の異なる複数の搬送波を用いて無線通信する通信装置において、
複数の周波数帯に対して通信帯域の空き状況を確認する確認手段と、
前記複数の周波数帯のうち、前記確認手段によって空きが確認された前記周波数帯の搬送波を送信データに従って変調して送信する送信手段と、
周波数帯の異なる複数の搬送波をそれぞれ受信してベースバンド信号に変換する変換手段と、
前記ベースバンド信号を復調して、復調データを生成する復調手段と
を含むことを特徴とする通信装置。
【請求項２】
前記復調手段によって生成された少なくとも１以上の前記復調データのうち、誤りが無い前記復調データを、受信データとして採用する採用手段を
さらに含むことを特徴とする請求項１に記載の通信装置。
【請求項３】
前記変換手段によって変換された複数の前記ベースバンド信号を合成して合成ベースバンド信号を生成する生成手段を
さらに含むことを特徴とする請求項１に記載の通信装置。
【請求項４】
前記復調手段は、前記合成ベースバンド信号を復調して、復調データを生成する
ことを特徴とする請求項３に記載の通信装置。
【請求項５】
前記送信手段および前記復調手段は、変調方式に直交周波数分割多重方式を用いる
ことを特徴とする請求項１に記載の通信装置。
【請求項６】
周波数帯の異なる複数の搬送波を用いて無線通信する通信方法において、
複数の周波数帯に対して通信帯域の空き状況を確認する確認ステップと、
前記複数の周波数帯のうち、前記確認手段によって空きが確認された前記周波数帯の搬送波を送信データに従って変調して送信する送信ステップと、
周波数帯の異なる複数の搬送波をそれぞれ受信してベースバンド信号に変換する変換ステップと、
前記ベースバンド信号を復調して、復調データを生成する復調ステップと
を含むことを特徴とする通信方法。
【請求項７】
周波数帯の異なる複数の搬送波を用いて無線通信する通信装置において、
複数の周波数帯に対して通信帯域の空き状況を確認する確認手段と、
前記複数の周波数帯のうち、前記確認手段によって空きが確認された前記周波数帯の搬送波を送信データに従って変調して送信する送信手段と、
周波数帯の異なる複数の搬送波をそれぞれ受信してベースバンド信号に変換する受信手段と、
前記ベースバンド信号を復調して、復調データを生成する復調手段と、
前記受信手段の受信レベル、または前記復調手段の復調結果の統計量のうちの少なくとも一方に基づき、前記送信手段によって送信される搬送波の周波数帯を選択する選択手段と
を含むことを特徴とする通信装置。
【請求項８】
前記復調手段によって生成された少なくとも１以上の前記復調データのうち、誤りが無い前記復調データを、受信データとして採用する採用手段を
さらに含むことを特徴とする請求項７に記載の通信装置。
【請求項９】
前記変換手段によって変換された複数の前記ベースバンド信号を合成して合成ベースバンド信号を生成する生成手段を
さらに含むことを特徴とする請求項７に記載の通信装置。
【請求項１０】
前記復調手段は、前記合成ベースバンド信号を復調して、復調データを生成する
ことを特徴とする請求項９に記載の通信装置。
【請求項１１】
前記送信手段および前記復調手段は、変調方式に直交周波数分割多重方式を用いる
ことを特徴とする請求項７に記載の通信装置。
【請求項１２】
周波数帯の異なる複数の搬送波を用いて無線通信する通信方法において、
複数の周波数帯に対して通信帯域の空き状況を確認する確認ステップと、
前記複数の周波数帯のうち、前記確認ステップの処理で空きが確認された前記周波数帯の搬送波を、送信データに従って変調して送信する送信ステップと、
周波数帯の異なる複数の搬送波をそれぞれ受信してベースバンド信号に変換する受信ステップと、
前記ベースバンド信号を復調して、復調データを生成する復調ステップと、
前記受信ステップの受信レベル、または前記復調ステップの処理結果の統計量のうちの少なくとも一方に基づき、前記送信ステップの処理によって送信される搬送波の周波数帯を選択する選択ステップと
を含むことを特徴とする通信方法。
【発明の詳細な説明】
【０００１】
【発明の属する技術分野】
本発明は、通信装置および方法に関し、特に、周波数帯の異なる複数の搬送波を用いて無線通信するようにした通信装置および方法に関する。
【０００２】
【従来の技術】
近年、無線ＬＡＮ（Ｌｏｃａｌ  Ａｒｅａ  Ｎｅｔｗｏｒｋ）の需要が拡大している。図１は、従来の無線ＬＡＮの構成の一例を示している。この無線ＬＡＮ１は、無線ＬＡＮカード１２−１，１２−２と所定の無線規格に従ってデータを通信する基地局装置１１、無線ＬＡＮカード１２−１を介して基地局装置１１に無線接続するパーソナルコンピュータ（ＰＣ）１３−１、および無線ＬＡＮカード１２−２を介して基地局装置１１に無線接続するパーソナルコンピュータ（ＰＣ）１３−２から構成される。
【０００３】
パーソナルコンピュータ１３−１は、無線ＬＡＮカードおよび基地局装置１１を介して、無線ＬＡＮカード１２−２が接続されているパーソナルコンピュータ１３−２と、データを通信することができる。また、パーソナルコンピュータ１３−１は、無線ＬＡＮカード１２−１および基地局装置１１を介して、インタネット２上の任意のサーバ等にアクセスし、データを通信することができる。パーソナルコンピュータ１３−２も同様である。
【０００４】
基地局装置１１と無線ＬＡＮカード１２−１，１２−２との通信には、無線通信規格であるＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｂまたはＩＥＥＥ８０２．１１ａが適用されている。２．４ＧＨｚ帯の周波数を用いるＩＥＥＥ８０２．１１ｂは、変調方式としては直接拡散方式が採用されており、伝送速度は最大１１Ｍｂｐｓである。５ＧＨｚ帯の周波数を用いるＩＥＥＥ８０２．１１ａは、変調方式としては直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ）が採用されており、伝送速度は最大５４Ｍｂｐｓである。以下、無線ＬＡＮカード１２−１，１２−２を個々に区別する必要がない場合、単に無線ＬＡＮカード１２と記述する。同様に、パーソナルコンピュータ１３−１，１３−２をパーソナルコンピュータ１３とも記述する。
【０００５】
図２は、ＩＥＥＥ８０２．１１ａに従って無線通信を行う基地局装置１１の構成例を示している。基地局装置１１において、インタネット２上のサーバから送信されたデータをパーソナルコンピュータ１３−１に接続された無線ＬＡＮカード１２−１に送信する場合、インタネット２上のサーバ（不図示）から送信されたデータは、Ｅｔｈｅｒｎｅｔ（Ｒ）コネクタ等からなるネットワークインタフェース（Ｉ／Ｆ）２１によって受信され、通信制御部２２に出力される。
【０００６】
通信制御部２２は、ネットワークインタフェース２１から入力されたデータにＰＨＹヘッダおよびＭＡＣヘッダを付加して無線フレームを生成し、モデム２３に出力する。モデム２３は、通信制御部２３から入力される無線フレームを直交周波数分割多重方式に従って変調し、その結果得られるベースバンド信号Ｉｔ，Ｑｔを送信部２４に出力する。送信部２４は、モデム２３から入力されるベースバンド信号Ｉｔ，Ｑｔにより、５ＧＨｚ帯の搬送波を変調して変調信号を生成する。この変調信号は、増幅部２５により増幅され、スイッチ２６を介してアンテナ２７から送信される。この送信された変調信号が無線ＬＡＮカード１２−１によって受信され、パーソナルコンピュータ１３−１に供給される。
【０００７】
無線ＬＡＮカード１２−１から送信された変調信号を受信する場合、アンテナ２７により受信される変調信号はスイッチ２６を介して受信部２８に入力される。受信部２８は、入力される変調信号をベースバンド信号Ｉｒ，Ｑｒに変換して、モデム２３に出力する。モデム２３は、受信部２８から入力されるベースバンド信号Ｉｒ，Ｑｒを直交周波数分割多重方式に従って復調し、その結果得られる無線フレームを通信制御部２２に出力する。
【０００８】
通信制御部２２は、モデム２３から入力される無線フレームのペイロードに格納されているデータを抽出する。さらに、通信制御部２２は、抽出したデータをインタネット２上のサーバに送信する場合、ネットワークインタフェース２１に出力し、無線ＬＡＮカード１２−２に中継する場合、ＰＨＹヘッダおよびＭＡＣヘッダを付加して無線フレームを生成し、モデム２３に出力する。通信制御部２２は、上述した無線フレームの生成および分解の他、各部の制御も実行する。
【０００９】
ＩＥＥＥ８０２．１１ａに従って無線通信を行う無線ＬＡＮカード１２は、図２に示されたＥｔｈｅｒｎｅｔ（Ｒ）コネクタ等からなるネットワークインタフェース２１が、パーソナルコンピュータ１３との接続に適したインタフェースに替わる他、基地局装置１１と同様に構成されるので、その説明は省略する。また、ＩＥＥＥ８０２．１１ｂに従って無線通信を行う基地局装置１１および無線ＬＡＮ１２も、モデム２３における変調方式が直接拡散方式となること以外、図２に示された構成例と同様に構成されるので、その説明は省略する。
【００１０】
【発明が解決しようとする課題】
ところで、ＩＥＥＥ８０２．１１ｂの問題点としては、使用される２．４ＧＨｚ帯の周波数が、電子レンジ、Ｂｌｕｅｔｏｏｔｈ（商標）による無線通信、アマチュア無線、ＲＦＩＤ（Ｒａｄｉｏ  Ｆｒｅｑｕｅｎｃｙ  Ｉｄｅｎｔｉｆｉｃａｔｉｏｎ）システム、医療関連機器にも用いられているので、これらが干渉源となって無線ＬＡＮのデータ通信に妨害を及ぼすことが挙げられる。
【００１１】
一方、ＩＥＥＥ８０２．１１ａは、使用される５ＧＨｚ帯（具体的には、５．１５乃至５．２５ＧＨｚの範囲）の周波数が他の用途に用いられていないので、干渉による通信障害はほとんど存在しない。しかしながら、５ＧＨｚ帯は、高周波であるが故の特性として直線性が強く、壁等の透過率が低いので、基地局装置と無線ＬＡＮカードの配置が制限されてしまうことがある。
【００１２】
一般に、無線通信における自由空間の電波伝搬損失Ｌ（ｄｂ）は、次式（１）によって表される。
Ｌ＝２０ｌｏｇ（４πｄ／λ）                                    …（１）
ここで、ｄは通信区間の見通し距離（ｍ）であり、λは波長（ｍ）である。
【００１３】
したがって、２．４ＧＨｚ帯よりも高周波の５ＧＨｚ帯は、同一の見通し距離ｄを仮定した場合、伝搬損失が約６ｄｂだけ大きくなる。さらに、５ＧＨｚ帯は、上述したように、高周波の特性として直線性が強く、壁等の透過率が低いので、必然的に見通し距離ｄが長くなる。よって、例えば、２階建ての一般家屋において１階と２階との間で通信が困難となってしまうように、通信エリアが狭くなってしまう問題がある。
【００１４】
以上説明したように、２．４ＧＨｚ帯、５ＧＨｚ帯のいずれにも、使用する環境に影響されてしまう問題点があるので、消費者が基地局装置および無線ＬＡＮカードを購入する場合、２．４ＧＨｚ帯が利用されているものと５ＧＨｚ帯が利用されているもののどちらが自己の使用する環境に適しているのかを判断することが困難である課題があった。
【００１５】
本発明はこのような状況に鑑みてなされたものであり、使用する環境を考慮せずに無線ＬＡＮの構築に用いることができる基地局装置や無線ＬＡＮカードを実現することを目的とする。
【００１６】
【課題を解決するための手段】
本発明の第１の通信装置は、複数の周波数帯に対して通信帯域の空き状況を確認する確認手段と、複数の周波数帯のうち、確認手段によって空きが確認された周波数帯の搬送波を送信データに従って変調して送信する送信手段と、周波数帯の異なる複数の搬送波をそれぞれ受信してベースバンド信号に変換する変換手段と、ベースバンド信号を復調して、復調データを生成する復調手段とを含むことを特徴とする。
【００１７】
本発明の第１の通信装置は、復調手段によって生成された少なくとも１以上の復調データのうち、誤りが無い復調データを、受信データとして採用する採用手段をさらに含むことができる。
【００１８】
本発明の第１の通信装置は、変換手段によって変換された複数のベースバンド信号を合成して合成ベースバンド信号を生成する生成手段をさらに含むことができる。
【００１９】
前記復調手段は、合成ベースバンド信号を復調して、復調データを生成するようにすることができる。
【００２０】
前記送信手段および前記復調手段は、変調方式に直交周波数分割多重方式を用いるようにすることができる。
【００２１】
本発明の第１の通信方法は、複数の周波数帯に対して通信帯域の空き状況を確認する確認ステップと、複数の周波数帯のうち、確認手段によって空きが確認された周波数帯の搬送波を送信データに従って変調して送信する送信ステップと、周波数帯の異なる複数の搬送波をそれぞれ受信してベースバンド信号に変換する変換ステップと、ベースバンド信号を復調して、復調データを生成する復調ステップとを含むことを特徴とする。
【００２２】
本発明の第２の通信装置は、複数の周波数帯に対して通信帯域の空き状況を確認する確認手段と、複数の周波数帯のうち、確認手段によって空きが確認された周波数帯の搬送波を送信データに従って変調して送信する送信手段と、周波数帯の異なる複数の搬送波をそれぞれ受信してベースバンド信号に変換する受信手段と、ベースバンド信号を復調して、復調データを生成する復調手段と、受信手段の受信レベル、または復調手段の復調結果の統計量のうちの少なくとも一方に基づき、送信手段によって送信される搬送波の周波数帯を選択する選択手段とを含むことを特徴とする。
【００２３】
本発明の第２の通信装置は、復調手段によって生成された少なくとも１以上の復調データのうち、誤りが無い復調データを、受信データとして採用する採用手段をさらに含むことができる。
【００２４】
本発明の第２の通信装置は、変換手段によって変換された複数のベースバンド信号を合成して合成ベースバンド信号を生成する生成手段をさらに含むことができる。
【００２５】
前記復調手段は、合成ベースバンド信号を復調して、復調データを生成するようにすることができる。
【００２６】
前記送信手段および前記復調手段は、変調方式に直交周波数分割多重方式を用いるようにすることができる。
【００２７】
本発明の第２の通信方法は、複数の周波数帯に対して通信帯域の空き状況を確認する確認ステップと、複数の周波数帯のうち、確認ステップの処理で空きが確認された周波数帯の搬送波を、送信データに従って変調して送信する送信ステップと、周波数帯の異なる複数の搬送波をそれぞれ受信してベースバンド信号に変換する受信ステップと、ベースバンド信号を復調して、復調データを生成する復調ステップと、受信ステップの処理の受信レベル、または復調ステップの処理結果の統計量のうちの少なくとも一方に基づき、送信ステップの処理によって送信される搬送波の周波数帯を選択する選択ステップとを含むことを特徴とする。
【００２８】
本発明の第１の通信装置および方法において、複数の周波数帯に対して通信帯域の空き状況が確認され、空きが確認された周波数帯の搬送波が送信データに従って変調されて送信される。また、周波数帯の異なる複数の搬送波をそれぞれ受信されてベースバンド信号に変換され、ベースバンド信号が復調されて復調データが生成される。
【００２９】
本発明の第２の通信装置および方法においては、複数の周波数帯に対して通信帯域の空き状況が確認され、空きが確認された周波数帯の搬送波が送信データに従って変調されて送信される。また、周波数帯の異なる複数の搬送波がそれぞれ受信されてベースバンド信号に変換され、ベースバンド信号が復調されて復調データが生成される。さらに、受信の処理の受信レベル、または復調の処理の処理結果の統計量のうちの少なくとも一方に基づき、送信される搬送波の周波数帯が選択される。
【００３０】
【発明の実施の形態】
図３は、本発明の一実施の形態である基地局装置の構成例を示している。この基地局装置３１は、図１における基地局装置１１に代わるものであり、概ね同様に構成される無線ＬＡＮカードに対して、複数の搬送波（本実施の形態の場合、２．４ＧＨｚ帯と５ＧＨｚ帯）を同時に用いてデータを送信する。また、概ね同様に構成される無線ＬＡＮカードから複数の搬送波を用いて送信されるデータを受信し、複数得られる復調結果を適宜、合成して正しいデータを生成する。
【００３１】
基地局装置３１のネットワークインタフェース（Ｉ／Ｆ）３２は、Ｅｔｈｅｒｎｅｔ（Ｒ）コネクタ等からなり、インタネット２上のサーバ等とのデータの送受信を行う。通信制御部３３は、記録媒体３４に記録されている制御用プログラムに従い、基地局装置３１の各部を制御する。特に、通信制御部３３は、ネットワークインタフェース３２から入力されたデータにＰＨＹヘッダおよびＭＡＣヘッダを付加して無線フレームを生成し、モデム３５に出力する。また、通信制御部３３は、モデム３５から入力される２．４ＧＨｚ帯または５ＧＨｚ帯の変調信号に基づく無線フレームのペイロードに格納されているデータを抽出する。さらに、付加されている誤りチェック用データＣＲＣに基づいてエラーを検出し、適宜、合成により正しいデータを復元する。その後、モデム３５からのデータをインタネット２上のサーバに送信する場合、それをネットワークインタフェース３２に出力し、無線ＬＡＮカードに中継する場合、ＰＨＹヘッダおよびＭＡＣヘッダを付加して無線フレームを生成し、モデム３５に出力する。
【００３２】
モデム３５は、送信時において、通信制御部３３から入力される無線フレームを直交周波数分割多重方式に従って変調し、その結果得られるベースバンド信号Ｉｔ，Ｑｔを送信部３６に出力する。また、モデム３５は、受信時において、第１受信部４５から入力されるベースバンド信号Ｉｒ１，Ｑｒ１を直交周波数分割多重方式に従って復調し、その結果得られる無線フレームを通信制御部３３に出力する。さらに、モデム３５は、受信時において、第２受信部４６から入力されるベースバンド信号Ｉｒ２，Ｑｒ２を直交周波数分割多重方式に従って復調し、その結果得られる無線フレームを通信制御部３３に出力する。
【００３３】
送信部３６は、モデム３５から入力されるベースバンド信号Ｉｔ，Ｑｔにより２．４ＧＨｚ帯の搬送波を変調して変調信号を生成し、増幅部３７およびミキサ４１に出力される。
【００３４】
増幅部３７は、送信部３６から入力される変調信号を増幅してスイッチ３８に出力する。スイッチ３８は、増幅器３７から入力される２．４ＧＨｚ帯の変調信号をアンテナ３９に出力する。また、スイッチ３８は、アンテナ３９が受信した変調信号を第１受信部４５に出力する。アンテナ３９は、増幅部３７からスイッチ３８を介して入力される２．４ＧＨｚ帯の変調信号を送信するとともに、無線ＬＡＮカード等が送信する２．４ＧＨｚ帯の変調信号を受信して、スイッチ３８に出力する。
【００３５】
ミキサ４１は、２．８ＧＨｚ帯ローカル発振部４０から入力される２．８ＧＨｚ帯の信号に基づき、送信部３６から入力される２．４ＧＨｚ帯の変調信号を、５ＧＨｚ帯にアップコンバートして増幅部４２に出力する。増幅部４２は、ミキサ４１から入力される５ＧＨｚ帯の変調信号を増幅してスイッチ４３に出力する。スイッチ４３は、増幅器４２から入力される５ＧＨｚ帯の変調信号をアンテナ４４に出力する。また、スイッチ４３は、アンテナ４４が受信した変調信号を第２受信部４６に出力する。アンテナ４４は、増幅部４２からスイッチ４３を介して入力される５ＧＨｚ帯の変調信号を送信するとともに、無線ＬＡＮカード等が送信する５ＧＨｚ帯の変調信号を受信して、スイッチ４３に出力する。
【００３６】
第１受信部４５は、スイッチ３８から入力される２．４ＧＨｚ帯の変調信号を、ベースバンド信号Ｉｒ１，Ｑｒ１に変換してモデム３５に出力する。第２受信部４６は、スイッチ４３から入力される５ＧＨｚ帯の変調信号を、ベースバンド信号Ｉｒ２，Ｑｒ２に変換してモデム３５に出力する。
【００３７】
なお、基地局装置３１に対応する無線ＬＡＮカードは、図３に示された構成例のネットワークインタフェース３２が、パーソナルコンピュータとの接続に適したインタフェースに替わる他、基地局装置３１と同様に構成されるので、その説明は省略する。
【００３８】
次に、基地局装置３１による第１の送信処理について、図４のフローチャートを参照して説明する。この第１の送信処理は、例えば、インタネット２上のサーバ等が送信したデータをネットワークインタフェース３２が受信し、通信制御部３３に供給されたときに開始される。
【００３９】
ステップＳ１において、通信制御部３３は、２．４ＧＨｚ帯および５ＧＨｚ帯のキャリアセンスを実行し（通信帯域が空いているか否かを確認し）、ステップＳ２において、２．４ＧＨｚ帯および５ＧＨｚ帯がビジーであるか否かを判定する。２．４ＧＨｚ帯および５ＧＨｚ帯がビジーであるかと判定された場合、データを送信することができないのでステップＳ３に進み、所定の時間だけ待機した後、ステップＳ１に戻り、それ以降の処理を繰り返す。
【００４０】
ステップＳ２において、２．４ＧＨｚ帯および５ＧＨｚ帯がビジーではない、すなわち、２．４ＧＨｚ帯および５ＧＨｚ帯の少なくとも一方が空いていると判定された場合、処理はステップＳ４に進む。ステップＳ４において、２．４ＧＨｚ帯がビジーであるか否かが判定される。２．４ＧＨｚ帯がビジーであると判定された場合、５ＧＨｚ帯だけが空いていることになり、処理はステップＳ５に進む。
【００４１】
ステップＳ５において、データが５ＧＨｚ帯の搬送波を用いて送信される。具体的には、通信制御部３３が、送信するデータにＰＨＹヘッダおよびＭＡＣヘッダを付加して無線フレームを生成し、モデム３５が、通信制御部３３によって生成された無線フレームを直交周波数分割多重方式に従って変調してベースバンド信号Ｉｔ，Ｑｔを生成し、送信部３６が、モデム３５によって生成されたベースバンド信号Ｉｔ，Ｑｔを用いて２．４ＧＨｚ帯の搬送波を変調して変調信号を生成する。さらに、ミキサ４１によって、送信部３６から入力される２．４ＧＨｚ帯の変調信号が、５ＧＨｚ帯にアップコンバートされ、増幅部４２によって増幅された後、スイッチ４３を介してアンテナ４４から送信される。
【００４２】
ステップＳ４において、２．４ＧＨｚ帯がビジーではないと判定された場合、処理はステップＳ６に進む。ステップＳ６において、５ＧＨｚ帯がビジーであるか否かが判定される。５ＧＨｚ帯がビジーであると判定された場合、２．４ＧＨｚ帯だけが空いていることになり、処理はステップＳ７に進む。
【００４３】
ステップＳ７において、データが２．４ＧＨｚ帯の搬送波を用いて送信される。具体的には、通信制御部３３が、送信するデータにＰＨＹヘッダおよびＭＡＣヘッダを付加して無線フレームを生成し、モデム３５が、通信制御部３３によって生成された無線フレームを直交周波数分割多重方式に従って変調してベースバンド信号Ｉｔ，Ｑｔを生成し、送信部３６が、モデム３５によって生成されたベースバンド信号Ｉｔ，Ｑｔを用いて２．４ＧＨｚ帯の搬送波を変調して変調信号を生成する。さらに、生成された２．４ＧＨｚ帯の搬送波が、増幅部３７によって増幅された後、スイッチ３８を介してアンテナ３９から送信される。
【００４４】
ステップＳ６において、５ＧＨｚ帯がビジーではないと判定された場合、２．４ＧＨｚ帯および５ＧＨｚ帯が空いていることになり、処理はステップＳ８に進む。ステップＳ８において、データが２．４ＧＨｚ帯および５ＧＨｚ帯の搬送波を用いて送信される。具体的には、上述したステップＳ５およびステップＳ７の処理が実行される。以上、基地局装置３１による第１の送信処理の説明を終了する。
【００４５】
以上説明したように、基地局装置３１による第１の送信処理によれば、通信帯域が空いている限り、常に２．４ＧＨｚ帯および５ＧＨｚ帯の搬送波が用いられることになる。
【００４６】
なお、基地局装置３１と概ね同様に構成される無線ＬＡＮカードも、上述した第１の送信処理を実行することが可能である。
【００４７】
次に、基地局装置３１による第１の受信処理について、図５のフローチャートを参照して説明する。この第１の受信処理は、基地局装置３１と概ね同様に構成される無線ＬＡＮカード等が上述した第１の送信処理を実行することによって送信した２．４ＧＨｚ帯と５ＧＨｚ帯の変調信号のうち、２．４ＧＨｚ帯の変調信号がアンテナ３９およびスイッチ３８を介して第１受信部４５に入力され、５ＧＨｚ帯の変調信号がアンテナ４４およびスイッチ４３を介して第２受信部４６に入力されたときに開始される。
【００４８】
ステップＳ１１において、通信制御部３３は、２．４ＧＨｚ帯の変調信号の受信レベルが所定の閾値以上であるか否かを判定する。２．４ＧＨｚ帯の変調信号の受信レベルが所定の閾値以上であると判定された場合、処理はステップＳ１２に進む。ステップＳ１２において、通信制御部３３は、５ＧＨｚ帯の変調信号の受信レベルが所定の閾値以上であるか否かを判定する。５ＧＨｚ帯の変調信号の受信レベルが所定の閾値以上であると判定された場合、２．４ＧＨｚ帯および５ＧＨｚ帯の受信レベルが所定の閾値以上であるので、処理はステップＳ１３に進む。
【００４９】
ステップＳ１３において、第１受信部４５は、２．４ＧＨｚ帯の変調信号をベースバンド信号Ｉｒ１，Ｑｒ１に変換してモデム３５に出力する。これと当時に、第２受信部４６は、５ＧＨｚ帯の変調信号をベースバンド信号Ｉｒ２，Ｑｒ２に変換してモデム３５に出力する。モデム３５は、第１受信部４５から入力されたベースバンド信号Ｉｒ１，Ｑｒ１を直交周波数分割多重方式に従って復調し、その結果得られた無線フレームを通信制御部３３に出力する。また、モデム３５は、第２受信部４６から入力されたベースバンド信号Ｉｒ２，Ｑｒ２を直交周波数分割多重方式に従って復調し、その結果得られた無線フレームを通信制御部３３に出力する。通信制御部３３は、モデム３５から入力された２．４ＧＨｚ帯または５ＧＨｚ帯の変調信号に基づく無線フレームのペイロードに格納されているデータを抽出する。
【００５０】
ステップＳ１４において、通信制御部３３は、５ＧＨｚ帯の変調信号が正しく受信できたか否か、すなわち、５ＧＨｚ帯の変調信号を元にして得られたデータにエラーが発生していないか否かを判定する。５ＧＨｚ帯の変調信号が正しく受信できた（５ＧＨｚ帯の変調信号を元にして得られたデータにエラーが発生していない）と判定された場合、処理はステップＳ１５に進む。ステップＳ１５において、通信制御部３３は、５ＧＨｚ帯の変調信号を元にして得られたデータを、基地局装置３１が受信したデータとして採用し、例えば、ネットワークインタフェース３２に出力して、インタネット２上のサーバ等が送信させる。
【００５１】
ステップＳ１２において、５ＧＨｚ帯の変調信号の受信レベルが所定の閾値以上ではないと判定された場合、２．４ＧＨｚ帯の受信レベルだけが所定の閾値以上であるので、処理はステップＳ１６に進む。ステップＳ１６において、第１受信部４５は、２．４ＧＨｚ帯の変調信号をベースバンド信号Ｉｒ１，Ｑｒ１に変換してモデム３５に出力する。モデム３５は、第１受信部４５から入力されたベースバンド信号Ｉｒ１，Ｑｒ１を直交周波数分割多重方式に従って復調し、その結果得られた無線フレームを通信制御部３３に出力する。通信制御部３３は、モデム３５から入力された２．４ＧＨｚ帯の変調信号に基づく無線フレームのペイロードに格納されているデータを抽出する。処理は、ステップＳ１７に進む。
【００５２】
ステップＳ１７において、通信制御部３３は、２．４ＧＨｚ帯の変調信号が正しく受信できたか否か、すなわち、２．４ＧＨｚ帯の変調信号を元にして得られたデータにエラーが発生していないか否かを判定する。２．４ＧＨｚ帯の変調信号が正しく受信できた（２．４ＧＨｚ帯の変調信号を元にして得られたデータにエラーが発生していない）と判定された場合、処理はステップＳ１８に進む。ステップＳ１８において、通信制御部３３は、２．４ＧＨｚ帯の変調信号を元にして得られたデータを、基地局装置３１が受信したデータとして採用し、例えば、ネットワークインタフェース３２に出力して、インタネット２上のサーバ等が送信させる。
【００５３】
ステップＳ１７において、２．４ＧＨｚ帯の変調信号が正しく受信できていない（２．４ＧＨｚ帯の変調信号を元にして得られたデータにエラーが発生している）と判定された場合、２．４ＧＨｚ帯および５ＧＨｚ帯のいずれも正しく受信できていないので、処理はステップＳ１１に戻り、それ以降の処理が繰り返される。
【００５４】
ステップＳ１４において、５ＧＨｚ帯の変調信号が正しく受信できていない（５ＧＨｚ帯の変調信号を元にして得られたデータにエラーが発生している）と判定された場合、処理はステップＳ１７に進み、上述した処理が実行される。
【００５５】
ステップＳ１１において、２．４ＧＨｚ帯の変調信号の受信レベルが所定の閾値以上ではないと判定された場合、処理はステップＳ１９に進む。ステップＳ１９において、通信制御部３３は、５ＧＨｚ帯の変調信号の受信レベルが所定の閾値以上であるか否かを判定する。５ＧＨｚ帯の変調信号の受信レベルが所定の閾値以上ではないと判定された場合、２．４ＧＨｚ帯および５ＧＨｚ帯のいずれの受信レベルも所定の閾値以上ではないので、処理はステップＳ１１に戻り、それ以降の処理が繰り返される。
【００５６】
ステップＳ１９において、５ＧＨｚ帯の変調信号の受信レベルが所定の閾値以上であると判定された場合、５ＧＨｚ帯の受信レベルだけが所定の閾値以上であるので、処理はステップＳ２０に進む。ステップＳ２０において、第２受信部４６は、５ＧＨｚ帯の変調信号をベースバンド信号Ｉｒ２，Ｑｒ２に変換してモデム３５に出力する。モデム３５は、第２受信部４６から入力されたベースバンド信号Ｉｒ２，Ｑｒ２を直交周波数分割多重方式に従って復調し、その結果得られた無線フレームを通信制御部３３に出力する。通信制御部３３は、モデム３５から入力された５ＧＨｚ帯の変調信号に基づく無線フレームのペイロードに格納されているデータを抽出する。処理は、ステップＳ１４に進み、上述した処理が行われる。以上、基地局装置３１による第１の受信処理の説明を終了する。
【００５７】
以上説明したように、基地局装置３１の第１の受信処理によれば、２．４ＧＨｚ帯の変調信号と５ＧＨｚ帯の変調信号のうち、正しく受信できた方を元にして得られたデータを採用するようにし、２．４ＧＨｚ帯の変調信号と５ＧＨｚ帯の変調信号の双方が正しく受信できた場合、５ＧＨｚ帯の変調信号を元にして得られたデータが優先的に採用されるようになされているが、逆に、２．４ＧＨｚ帯の変調信号を元にして得られたデータが優先的に採用されるようにしてもよい。
【００５８】
次に、基地局装置３１による第２の受信処理について、図６のフローチャートを参照して説明する。この第２の受信処理は、２．４ＧＨｚ帯と５ＧＨｚ帯の両方が正しく受信できなかった場合において、２．４ＧＨｚ帯と５ＧＨｚ帯のそれぞれを元にして得られるデータを合成して、正しいデータを生成するものであり、上述した第１の受信処理におけるステップＳ１７の処理の後段に、ステップＳ３１以降を追加したものである。
【００５９】
すなわち、第２の受信処理のステップＳ１７において、２．４ＧＨｚ帯の変調信号が正しく受信できていない（２．４ＧＨｚ帯の変調信号を元にして得られたデータにエラーが発生している）と判定された場合、２．４ＧＨｚ帯および５ＧＨｚ帯のいずれも正しく受信できていないので、処理はステップＳ３１に進む。ステップＳ３１において、モデム３５は、通信制御部３３の制御に基づき、２．４ＧＨｚ帯のベースバンド信号Ｉｒ１，Ｑｒ１と、５ＧＨｚ帯のベースバンド信号Ｉｒ２，Ｑｒ２とを合成した後、復号してデータを生成する。
【００６０】
ここで、ステップＳ３１の処理について、図７を参照して説明する。第１受信部４５あるいは第２受信部４６から出力される直交周波数分割多重方式のベースバンド信号（以下、ＯＦＤＭ信号と記述する）のスペクトラムは、一般的に、図７Ａに示されるような台形の形状となる。このようにスペクトラムの両端が広がっているのは、ＲＦ部の非線形歪みに起因するものである。
【００６１】
このようなＯＦＤＭ信号に対し、通信経路においてマルチパスフェージングが発生した場合、スペクトラムは図７Ｂまたは図７Ｃに波線円で示すようなある周波数成分のレベルが極端に低くなる現象（以下、ディップと記述する）が生ずる。ここで、図７Ｂに示されたスペクトラムが２．４ＧＨｚ帯のものであり、図７Ｃに示されたスペクトラムが５ＧＨｚ帯のものであると仮定した場合、両周波数帯ともに、復調されるデータに誤りが生じてしまう可能性がある。
【００６２】
ただし、例えば、図７Ｂに示されたスペクトラムの低周波数側の領域ａでは誤りの可能性があるが、高周波数側の領域ｂでは正しいデータが得られることになる。同様に、図７Ｃに示されたスペクトラムを低周波数側の領域ｃでは正しいデータが得られるが、高周波数側の領域ｄでは誤りの可能性がある。
【００６３】
そこで、ステップＳ３１の処理においては、２．４ＧＨｚ帯のスペクトラムの正しいデータが得られる領域（いまの場合、図７Ｂに示されたスペクトラムの高周波数側の領域ｂ）と、５ＧＨｚ帯のスペクトラムの正しいデータが得られる領域（いまの場合、図７ｃに示されたスペクトラムの低周波数側の領域ｃ）とを合成し、図７ｄに示されるような新たなスペクトラムを生成して、これを復調するようにする。このようにすることにより、データの信頼性の向上と、誤り率の低下が期待できる。
【００６４】
ただし、スペクトラムの合成をＲＦ部で行うことは困難であるので、直交周波数分割多重方式による復調時のＦＦＴ変換（Ｆａｓｔ  Ｆｏｕｒｉｅｒ  Ｔｒａｎｓｆｏｒｍａｔｉｏｎ）後のベースバンド信号を合成するようにする。
【００６５】
図８は、モデム３５のベースバンド信号の合成に関わる部分の構成例を示している。ＡＤ変換部（Ａ／Ｄ）５１−１は、第１受信部４５から入力されるベースバンド信号Ｉｒ１をＡＤ変換してＦＦＴ部５２に出力する。ＡＤ変換部５１−２は、第１受信部４５から入力されるベースバンド信号Ｑｒ１をＡＤ変換してＦＦＴ部５２に出力する。ＡＤ変換部５１−３は、第２受信部４６から入力されるベースバンド信号Ｉｒ２をＡＤ変換してＦＦＴ部５３に出力する。ＡＤ変換部５１−４は、第２受信部４６から入力されるベースバンド信号Ｑｒ２をＡＤ変換してＦＦＴ部５３に出力する。
【００６６】
ＦＦＴ部５２は、ディジタル変換されたベースバンド信号Ｉｒ１，Ｑｒ１をフーリエ変換し、その結果得られる複数のサブキャリア毎の変調信号を選択部５４に出力する。ここで、例えば、ｎ本のサブキャリアによる直交周波数分割多重方式であった場合、ｎ種類のサブキャリア毎の変調信号が得られることになる。
【００６７】
サブキャリアの変調方式をＱＰＳＫ（Ｑｕａｄｒａｔｕｒｅ  Ｐｈａｓｅ  Ｓｈｉｆｔ  Ｋｅｙｉｎｇ）と仮定した場合、ＦＦＴ部５２が出力する変調信号ｆ１（ｔ）は次式（２）のとおりである。ｆ１（ｔ）＝ΣＡｉ［ａｉ・ｃｏｓ（ｉω０）ｔ−ｂｉ・ｓｉｎ（ｉω０）ｔ］…（２）
【００６８】
ここで、Σは、ｉ＝０，１，２…，ｎ−１の総和、ω０は直交周波数分割多重方式のサブキャリア間の周波数間隔、ａｉ，ｂｉは、それぞれ送信データのＱＰＳＫシンボル点（＋１，−１）である。また、Ａｉは各周波数成分の振幅値を表している。［］の中の値が、それぞれサブキャリア毎の変調信号に相当する。
【００６９】
同様に、ＦＦＴ部５３は、ディジタル変換されたベースバンド信号Ｉｒ２，Ｑｒ２をフーリエ変換し、その結果得られる複数のサブキャリア毎の変調信号を選択部５４に出力する。ここで、例えば、ｎ本のサブキャリアによる直交周波数分割多重方式であった場合、ｎ種類のサブキャリア毎の変調信号が得られることになる。
【００７０】
サブキャリアの変調方式をＱＰＳＫと仮定した場合、ＦＦＴ部５３が出力する変調信号ｆ２（ｔ）は次式（３）のとおりである。
ｆ２（ｔ）＝ΣＢｉ［ａｉ・ｃｏｓ（ｉω０）ｔ−ｂｉ・ｓｉｎ（ｉω０）ｔ］…（３）
【００７１】
ここで、Σは、ｉ＝０，１，２…，ｎ−１の総和、ω０は直交周波数分割多重方式のサブキャリア間の周波数間隔、ａｉ，ｂｉは、それぞれ送信データのＱＰＳＫシンボル点（＋１，−１）である。また、Ｂｉは各周波数成分の振幅値を表している。［］の中の値が、それぞれサブキャリア毎の変調信号に相当する。
【００７２】
選択部５４は、サブキャリア毎に式（２）のＡｉと式（３）のＢｉとを比較して、大きい方の値をもつ信号成分を選択する。この選択の結果得られる変調信号ｆ３（ｔ）が、２．４ＧＨｚ帯のスペクトラムと５ＧＨｚ帯のスペクトラムとの良好な部分を合成したものとなる。
ｆ３（ｔ）＝ΣＣｉ［ａｉ・ｃｏｓ（ｉω０）ｔ−ｂｉ・ｓｉｎ（ｉω０）ｔ］…（４）
Ｃｉ＝Ａｉ      Ａｉ≧Ｂｉ
Ｃｉ＝Ｂｉ      Ａｉ＜Ｂｉ
【００７３】
なお、選択部５４において、サブキャリア毎に信号成分を選択するのではなく、いくつかのサブキャリアをまとめてセグメント化し、セグメント毎に信号成分を選択するようにしてもよい。
【００７４】
図６に戻る。ステップＳ３２において、通信制御部３３は、モデム３５において合成された後に復調されたデータが正しいデータであるか否かを、付加されているＣＲＣデータを用いて判定する。正しいデータであると判定された場合、当該データを基地局装置３１が受信したデータとして採用し、例えば、ネットワークインタフェース３２に出力して、インタネット２上のサーバ等が送信させる。
【００７５】
反対に、ステップＳ３２において、合成された後に復調されたデータが正しいデータではないと判定された場合、処理はステップＳ１１に戻り、それ以降の処理が繰り返される。以上で、基地局装置３１による第２の受信処理の説明を終了する。
【００７６】
ところで、上述した第１の送信処理においては、通信帯域が空いている限り、常に、２．４ＧＨｚ帯と５ＧＨｚ帯の両方の搬送波を送信するようにしていたが、このことは電力消費の観点から好ましくない。そこで、送信の当初においては両周波数帯の搬送波を用い、いずれが良好に通信可能であるかを判別するようにし、その後、良好に通信可能である一方の周波数帯だけを用いるようにすることが考えられる。このような考えに基づく第２の送信処理について、図９のフローチャートを参照して説明する。
【００７７】
この第２の送信処理は、例えば、インタネット２上のサーバ等が送信したデータをネットワークインタフェース３２が受信し、通信制御部３３に供給されたときに開始される。
【００７８】
ステップＳ５１において、通信制御部３３は、２．４ＧＨｚ帯および５ＧＨｚ帯のキャリアセンスを実行し（通信帯域が空いているか否かを確認し）、ステップＳ５２において、２．４ＧＨｚ帯および５ＧＨｚ帯がビジーであるか否かを判定する。２．４ＧＨｚ帯および５ＧＨｚ帯がビジーであるかと判定された場合、データを送信することができないのでステップＳ５３に進み、所定の時間だけ待機した後、ステップＳ５１に戻り、それ以降の処理を繰り返す。
【００７９】
ステップＳ５２において、２．４ＧＨｚ帯および５ＧＨｚ帯がビジーではない、すなわち、２．４ＧＨｚ帯および５ＧＨｚ帯の少なくとも一方が空いていると判定された場合、処理はステップＳ５４に進む。ステップＳ５４において、２．４ＧＨｚ帯がビジーであるか否かが判定される。２．４ＧＨｚ帯がビジーであると判定された場合、５ＧＨｚ帯だけが空いていることになり、処理はステップＳ５５に進む。
【００８０】
ステップＳ５５において、データが５ＧＨｚ帯の搬送波を用いて送信される。具体的には、通信制御部３３が、送信するデータにＰＨＹヘッダおよびＭＡＣヘッダを付加して無線フレームを生成し、モデム３５が、通信制御部３３によって生成された無線フレームを直交周波数分割多重方式に従って変調してベースバンド信号Ｉｔ，Ｑｔを生成し、送信部３６が、モデム３５によって生成されたベースバンド信号Ｉｔ，Ｑｔを用いて２．４ＧＨｚ帯の搬送波を変調して変調信号を生成する。さらに、ミキサ４１によって、送信部３６から入力される２．４ＧＨｚ帯の変調信号が、５ＧＨｚ帯にアップコンバートされ、増幅部４２によって増幅された後、スイッチ４３を介してアンテナ４４から送信される。
【００８１】
ステップＳ５４において、２．４ＧＨｚ帯がビジーではないと判定された場合、処理はステップＳ５６に進む。ステップＳ５６において、５ＧＨｚ帯がビジーであるか否かが判定される。５ＧＨｚ帯がビジーであると判定された場合、２．４ＧＨｚ帯だけが空いていることになり、処理はステップＳ５７に進む。
【００８２】
ステップＳ５７において、データが２．４ＧＨｚ帯の搬送波を用いて送信される。具体的には、通信制御部３３が、送信するデータにＰＨＹヘッダおよびＭＡＣヘッダを付加して無線フレームを生成し、モデム３５が、通信制御部３３によって生成された無線フレームを直交周波数分割多重方式に従って変調してベースバンド信号Ｉｔ，Ｑｔを生成し、送信部３６が、モデム３５によって生成されたベースバンド信号Ｉｔ，Ｑｔを用いて２．４ＧＨｚ帯の搬送波を変調して変調信号を生成する。さらに、生成された２．４ＧＨｚ帯の搬送波が、増幅部３７によって増幅された後、スイッチ３８を介してアンテナ３９から送信される。
【００８３】
ステップＳ５６において、５ＧＨｚ帯がビジーではないと判定された場合、２．４ＧＨｚ帯および５ＧＨｚ帯が空いていることになり、処理はステップＳ５８に進む。ステップＳ５８において、通信制御部３３は、無線ＬＡＮカード等の通信相手が送信した２．４ＧＨｚ帯の搬送波を過去ｎ（ｎは所定の値）回連続して正しく受信できているか否かを判定する。２．４ＧＨｚ帯の搬送波を過去ｎ回連続して正しく受信できていると判定された場合、処理はステップＳ５７に進む。これ以降、２．４ＧＨｚ帯の搬送波だけが用いられることになる。
【００８４】
ステップＳ５８において、２．４ＧＨｚ帯の搬送波を過去ｎ回連続して正しく受信できていないと判定された場合、処理はステップＳ５９に進む。ステップＳ５９において、通信制御部３３は、無線ＬＡＮカード等の通信相手が送信した５ＧＨｚ帯の搬送波を過去ｎ（ｎは所定の値）回連続して正しく受信できているか否かを判定する。５ＧＨｚ帯の搬送波を過去ｎ回連続して正しく受信できていると判定された場合、処理はステップＳ５５に進む。これ以降、５ＧＨｚ帯の搬送波だけが用いられることになる。
【００８５】
ステップＳ５９において、２．４ＧＨｚ帯の搬送波を過去ｎ回連続して正しく受信できていないと判定された場合、処理はステップＳ６０に進む。ステップＳ６０において、データが２．４ＧＨｚ帯および５ＧＨｚ帯の搬送波を用いて送信される。具体的には、上述したステップＳ５５およびステップＳ５７の処理が実行される。以上、基地局装置３１による第２の送信処理の説明を終了する。
【００８６】
以上説明したように、基地局装置３１による第２の送信処理によれば、２．４ＧＨｚ帯および５ＧＨｚ帯のうち、受信状況が良好な一方の搬送波だけが用いて送信される。送信時においては、増幅部３７，４２の消費電力が大きいので、このうちの一方の動作を停止させることは消費電力の削減に効果が大きい。
【００８７】
なお、第２の送信処理においては、過去ｎ回連続して正しく受信できていることを条件として、２．４ＧＨｚ帯または５ＧＨｚ帯を選択するようにしていたが、さらに、受信レベルが所定の値以上であることを条件に追加するようにしてもよい。
【００８８】
また、第２の送信処理によれば、２．４ＧＨｚ帯と５ＧＨｚ帯の両周波数帯の受信状況が良好な場合、２．４ＧＨｚ帯が優先的に用いられるようになされているが、逆に、５ＧＨｚ帯が優先的に用いられるようにしてもよい。
【００８９】
以上のように、本発明を適用した基地局装置および無線ＬＡＮカードは、ユーザが自己の使用環境を意識することなく購入し、使用することが可能である。また、通信の信頼性が向上し、データの途切れが許容され難いオーディオやビデオのストリーミングデータを、データの途切れなく通信することが可能となる。さらに、周波数ダイバーシティと空間ダイバーシティ効果が期待できる。
【００９０】
なお、本明細書において、システムとは、複数の装置により構成される装置全体を表すものである。
【００９１】
【発明の効果】
以上のように、本発明によれば、使用する環境を考慮せずに無線ＬＡＮの構築に用いることができる基地局装置や無線ＬＡＮカードを実現することが可能となる。
【図面の簡単な説明】
【図１】無線ＬＡＮの構成の一例を示すブロック図である。
【図２】従来の基地局装置の構成例を示すブロック図である。
【図３】本発明の一実施の形態である基地局装置の構成例を示すブロック図である。
【図４】図３の基地局装置による第１の送信処理を説明するフローチャートである。
【図５】図３の基地局装置による第１の受信処理を説明するフローチャートである。
【図６】図３の基地局装置による第２の受信処理を説明するフローチャートである。
【図７】図６のステップＳ３１の処理を説明するための図である。
【図８】図６のステップＳ３１の処理に関わる、図３のモデムの構成例を示すブロックである。
【図９】図３の基地局装置による第２の受信処理を説明するフローチャートである。
【符号の説明】
３１基地局装置，  ３３  通信制御部，  ３５  ，３６  送信部，  ４０  ２．８ＧＨｚ帯ローカル発振部，  ４１  ミキサ，  ４５  第１受信部，  ４６  第２受信部，  ５１  ＡＤ変換部，  ５２  ＦＦＴ部，  ５３  選択部
【図１】
2004221812.tif 000003
【図２】
2004221812.tif 000004
【図３】
2004221812.tif 000005
【図４】
2004221812.tif 000006
【図５】
2004221812.tif 000007
【図６】
2004221812.tif 000008
【図７】
2004221812.tif 000009
【図８】
2004221812.tif 000010
【図９】
2004221812.tif 000011